(57)【特許請求の範囲】
【請求項１】
プロセッサを備えるコンピュータに実行させ、求人企業と人材紹介会社との間で行われる人材紹介を支援するためのプログラムであって、
前記プログラムは、前記プロセッサに、
前記人材紹介会社から、求職者の情報を登録する操作を受け付ける第１ステップと、
前記登録された全ての求職者の情報を、前記人材紹介会社により求職者を選別されることなく、求人企業のユーザに提示する第２ステップと、
前記求人企業のユーザから、当該求人企業のユーザに提示される各求職者の情報と関連付けて、採用意思を示す情報の設定を受け付ける第３ステップと、
前記人材紹介会社のユーザから、前記求職者の検索条件として、前記求人企業のユーザにより設定される前記採用意思を示す情報を指定する入力操作を受け付ける第４ステップと、
前記受け付けた検索条件の前記採用意思を示す情報に従って抽出される求職者の情報を前記人材紹介会社のユーザに提示する第５ステップと、を実行させ、
前記求人企業が人材紹介を受けるために前記人材紹介会社に定期的に対価を支払い、前記対価の額に応じて、前記求人企業が所定期間内に採用可能な人数に上限又は下限を設定する、プログラム。
【請求項２】
前記第３ステップにおいて、前記求人企業のユーザから、前記採用意思を示す情報として、採用をする意欲の程度に応じた段階的な複数種類の情報のうちいずれかの設定を受け付けており、
前記第４ステップにおいて、前記人材紹介会社のユーザから、前記求職者の検索条件として、前記採用をする意欲の程度に応じた各段階を指定する前記入力操作を受け付ける、請求項１に記載のプログラム。
【請求項３】
前記第３ステップにおいて、前記求人企業のユーザから、前記採用をする意欲があることを示す情報と、採用をする意欲がないことを示す情報との設定を各求職者について受け付けており、前記採用をする意欲があることを示す情報として、採用をする意欲の程度に応じて複数段階に区分された各段階のいずれかの設定を各求職者について受け付け、
前記第４ステップにおいて、前記人材紹介会社のユーザから、前記求職者の検索条件として、前記採用をする意欲があることを示す情報において区分される各段階を指定する前記入力操作を受け付ける、請求項２に記載のプログラム。
【請求項４】
前記人材紹介会社のユーザから、前記第５ステップにおいて提示される各求職者の少なくとも一部について、一括して所定の通知をするための入力操作を受け付け、当該通知をするための入力操作に応答して、当該求職者それぞれに対し、前記所定の通知を行う、請求項１から３のいずれかに記載のプログラム。
【請求項５】
前記コンピュータにおいて、前記検索条件として指定される情報の種類と、前記所定の通知とが対応付けられて管理されており、
前記求職者それぞれに対し、前記検索条件に応じた前記所定の通知を行うための前記入力操作を受け付ける、請求項４に記載のプログラム。
【請求項６】
前記第１ステップにおいて前記求職者の情報が登録されたことに応答して、当該求職者の情報が登録されたことを前記求人企業のユーザに通知する、請求項１から５のいずれかに記載のプログラム。
【請求項７】
前記コンピュータの記憶部において、前記登録される求職者の情報と、前記求人企業に採用される過程における採用イベントの発生の履歴とを記憶させ、
前記第１ステップにおいて新たに前記求職者の情報の登録を受け付けると、前記登録される求職者の情報と、前記記憶部の前記履歴とに基づいて、当該登録される求職者が前記求人企業に採用される可能性を評価し、当該評価結果に基づいて、前記登録される求職者を優先して前記求人企業のユーザに提示する、請求項６に記載のプログラム。
【請求項８】
前記第１ステップにおいて、前記求職者の情報として、前記求職者のプロフィールおよび勤務条件の少なくともいずれかの登録を受け付けており、前記プロフィールおよび勤務条件の少なくともいずれかが登録されることにより、前記登録された求職者の情報を、すべて、前記求人企業のユーザに提示する、請求項１から７のいずれかに記載のプログラム。
【請求項９】
前記第３ステップにおいて、前記採用意思を示す情報として、採用をする意欲があることを示す情報が設定されたことに応答して、当該設定がされた求職者の情報を前記人材紹介会社のユーザに通知する、請求項１から８のいずれかに記載のプログラム。
【請求項１０】
第２ステップにおいて、前記求人企業の求人情報と、前記求職者の情報とのそれぞれに含まれる単語の類似度に基づき、前記求人企業のユーザに対して優先して提示する前記求職者の情報を特定する、請求項１から９のいずれかに記載のプログラム。
【請求項１１】
前記求人企業が前記人材紹介会社に支払う対価の額に関らず、各求職者に対し前記採用意思を示す情報を設定することが可能な回数に上限を設定しない、請求項１に記載のプログラム。
【請求項１２】
前記求人企業が人材紹介を受けるために対価を支払う複数の料金プランとして、当該人材紹介を受けることができる期間について支払う対価の額と、前記期間内に採用可能な人数の数とが段階的に設定されており、少なくとも、前記採用可能な人数に上限がない第１の料金プランを含み、
前記求人企業の採用実績の情報を記憶部に記憶させ、
前記求人企業の規模の情報、または、前記求人企業の採用実績の情報に基づいて、前記複数の料金プランのうち、前記求人企業に適した料金プランを特定し、
当該特定された料金プランを前記求人企業のユーザに提示する、請求項１または１１に記載のプログラム。
【請求項１３】
前記求人企業の規模、事業内容、採用の実績の時系列データに基づいて学習済みモデルを生成することにより、前記求人企業が今後必要となる採用の人数を予測し、
前記予測結果に応じて、前記求人企業に適した料金プランを特定する、請求項１２に記載のプログラム。
【請求項１４】
プロセッサを備えるコンピュータにより実行され、求人企業と人材紹介会社との間で行われる人材紹介を支援するための方法であって、前記方法は、前記プロセッサが、記憶部に記憶されるプログラムを読み込んで実行することにより、
前記人材紹介会社から、求職者の情報を登録する操作を受け付ける第１ステップと、
前記登録された全ての求職者の情報を、前記人材紹介会社により求職者を選別されることなく、求人企業のユーザに提示する第２ステップと、
前記求人企業のユーザから、当該求人企業のユーザに提示される各求職者の情報と関連付けて、採用意思を示す情報の設定を受け付ける第３ステップと、
前記人材紹介会社のユーザから、前記求職者の検索条件として、前記求人企業のユーザにより設定される前記採用意思を示す情報を指定する入力操作を受け付ける第４ステップと、
前記受け付けた検索条件の前記採用意思を示す情報に従って抽出される求職者の情報を前記人材紹介会社のユーザに提示する第５ステップと、を実行し、
前記求人企業が人材紹介を受けるために前記人材紹介会社に定期的に対価を支払い、前記対価の額に応じて、前記求人企業が所定期間内に採用可能な人数に上限又は下限を設定する、方法。
【請求項１５】
制御部と、記憶部とを備え、求人企業と人材紹介会社との間で行われる人材紹介を支援するための情報処理装置であって、
前記制御部が、前記記憶部に記憶されるプログラムに基づいて動作することにより、
前記人材紹介会社から、求職者の情報を登録する操作を受け付ける第１ステップと、
前記登録された全ての求職者の情報を、前記人材紹介会社により求職者を選別されることなく、求人企業のユーザに提示する第２ステップと、
前記求人企業のユーザから、当該求人企業のユーザに提示される各求職者の情報と関連付けて、採用意思を示す情報の設定を受け付ける第３ステップと、
前記人材紹介会社のユーザから、前記求職者の検索条件として、前記求人企業のユーザにより設定される前記採用意思を示す情報を指定する入力操作を受け付ける第４ステップと、
前記受け付けた検索条件の前記採用意思を示す情報に従って抽出される求職者の情報を前記人材紹介会社のユーザに提示する第５ステップと、を実行し、
前記求人企業が人材紹介を受けるために前記人材紹介会社に定期的に対価を支払い、前記対価の額に応じて、前記求人企業が所定期間内に採用可能な人数に上限又は下限を設定する、情報処理装置。
【発明の詳細な説明】
【技術分野】
【０００１】
本開示は、プログラム、方法及び情報処理装置に関する。
【背景技術】
【０００２】
近年、情報技術の進歩に伴い、インターネット等を介して、求人企業と人材紹介会社との間で人材紹介サービスを行う人材紹介サイトは利用されている（特許文献１参照）。
【０００３】
例えば、特許文献１では、正規に登録されている人材派遣業者から企業へ、直接、求職者を派遣することで、余分な仲介手数料の発生を防ぎ、企業と求職者の双方に妥当な単金の設定を可能とし、且つ、人材選択の主導権を企業側に持たせ、自ら適任者を検索可能とすることで求職者を特定した人材派遣業者へのアプローチを可能とするシステム及びその方法は提供されている。
【先行技術文献】
【特許文献】
【０００４】
【特許文献１】特開２００７−０７９９００号公報
【発明の概要】
【発明が解決しようとする課題】
【０００５】
特許文献１に記載されているようなシステムにおいて、求人企業は、所定のオファー数に相当するポイントを購入し、求職者へオファーした場合、当該企業の蓄積ポイント数より相当ポイント数を減じる。そして、人材派遣会社は当該オファーへ応答し、双方の条件が一致すると、派遣契約が成立する。
【０００６】
しかしながら、求人企業と人材派遣会社との条件は、必ずしも一致するわけではないので、当該オファーは、派遣契約の成立に至らず、購入したポイントが無駄に消費されるおそれがある。そのため、オファー１つ当たりの採用コストが高くなってしまう。
【０００７】
そこで、本開示は、上記に鑑みてなされたものであって、求人企業と人材紹介会社との間で行われる人材紹介を支援し、求人企業が所望する人材を効率よく紹介することを可能にすることを目的とする。
【課題を解決するための手段】
【０００８】
一実施の形態によると、プロセッサを備えるコンピュータに実行させ、求人企業と人材紹介会社との間で行われる人材紹介を支援するためのプログラムが提供される。プログラムは、プロセッサに、求職者の情報を登録する操作を受け付ける第１ステップと、登録された求職者の情報を、求人企業のユーザに提示する第２ステップと、求人企業のユーザから、当該求人企業のユーザに提示される各求職者の情報と関連付けて、採用意思を示す情報の設定を受け付ける第３ステップと、人材紹介会社のユーザから、求職者の検索条件として、求人企業のユーザにより設定される採用意思を示す情報を指定する入力操作を受け付ける第４ステップと、受け付けた検索条件の採用意思を示す情報に従って抽出される求職者の情報を人材紹介会社のユーザに提示する第５ステップと、を実行させる。
【発明の効果】
【０００９】
本開示によれば、求人企業と人材紹介会社との間で行われる人材紹介を支援し、求人企業が所望する人材を効率よく紹介することを可能にすることができる。
【図面の簡単な説明】
【００１０】
【図１】人材紹介システム１の全体の構成を示す図である。
【図２】第１の実施の形態の人材紹介システム１を構成する人材紹介会社の端末装置１０Ａのブロック図である。
【図３】第１の実施の形態の人材紹介システム１を構成する求人企業の端末装置１０Ｂのブロック図である。
【図４】第１の実施の形態の人材紹介システム１を構成するサーバ２０の機能的な構成を示す図である。
【図５】サーバ２０が記憶する求職者情報データベース２８１、求人企業情報データベース２８２のデータ構造を示す図である
【図６】第１の実施の形態の人材紹介システム１により、人材紹介会社の端末装置１０Ａにおいて、採用意思有無情報を指定して求職者を検索する流れの一例を示すフローチャートである。
【図７】人材紹介会社の端末装置１０Ａ及び求人企業の端末装置１０Ｂの画面例の図である。
【発明を実施するための形態】
【００１１】
本開示の以下の実施の形態によると、サブスクリプション型の人材紹介のビジネスモデルを実現することができ、従来のように「人材紹介会社の紹介で採用に至ることで人材紹介手数料を人材紹介会社が得るショット型の料金モデル」と比較して、求職者がいずれかの求人企業に採用される採用率（マッチング率）を大幅に向上させることができ、求人企業にとっても採用人数の最大化をも図ることができる。この点が、当ビジネスモデルの強みとなる。
【００１２】
具体的には、人材紹介会社に登録した全ての求職者のデータは、求職者の情報として記憶される。そして、求職者のデータが登録されることにより、自動的に、求職者の一部の情報が伏せられた状態（いわゆる「ブラインドレジュメ」の状態。名前などの個人情報の一部が伏せられるなど、特定の個人であることそのものまでは容易に識別されない状態）となる。この状態で、登録を受け付けたすべての求職者の情報が求人企業に閲覧可能に提供される。すなわち、求人企業がリアルタイムで全ての求職者の情報を確認することができるようになる。つまり、人材紹介会社側が、求人企業に対して紹介する求職者の情報を任意に選別したうえで求人企業に提示する場合と比べると、より多くの求職者の情報を求人企業に提示し、また、より早く（登録を受け付け次第）求職者の情報を求人企業に提示することができる。
【００１３】
これにより、求人企業、求職者の双方に対し、採用に関する提案の件数の最大化を図ることができる。また、定額制で採用の人数の制約がないようにすることにより（採用の人数にかかわらず一定額の対価の支払いでサービスを利用可能にするサブスクリプション型のモデル）、採用することに基づくショット型の料金モデルと比較して、採用することそのものに対するコスト的なハードルが下がるため採用率を大幅に向上させ、採用人数の最大化をも図ることができる。
【００１４】
以下、図面を参照しつつ、本開示の実施の形態について説明する。以下の説明では、同一の部品には同一の符号を付してある。それらの名称および機能も同じである。したがって、それらについての詳細な説明は繰り返さない。
【００１５】
＜第１の実施の形態＞
以下、求人企業が示した採用意思有無情報に基づき、求職者を検索して人材紹介サービスを提供する実施形態について説明する。
【００１６】
＜１  人材紹介システム１の全体構成＞
図１は、人材紹介システム１の全体の構成を示す図である。
【００１７】
人材紹介システム１は、求人企業と人材紹介会社との間で人材紹介を行うためのシステムである。図１に示すように、人材紹介システム１は、人材紹介会社の端末装置１０Ａと、サーバ２０と、求人企業の端末装置１０Ｂとを含む。人材紹介会社の端末装置１０Ａ、サーバ２０及び求人企業の端末装置１０Ｂは、ネットワーク８０を介して相互に通信可能に接続されている。ネットワーク８０は、有線または無線ネットワークにより構成される。
【００１８】
人材紹介会社の端末装置１０Ａは、人材紹介会社が操作する装置である。人材紹介会社の端末装置１０Ａは、例えば据え置き型のＰＣ（Personal  Computer）、ラップトップＰＣなどにより実現される。図１に示すように、人材紹介会社の端末装置１０Ａは、通信ＩＦ（Interface）１２と、入力装置１３と、出力装置１４と、メモリ１５と、記憶部１６と、プロセッサ１９とを備える。
【００１９】
通信ＩＦ１２は、人材紹介会社の端末装置１０Ａが外部の装置と通信するため、信号を入出力するためのインタフェースである。入力装置１３は、人材紹介会社からの入力操作を受け付けるための入力装置（例えば、タッチパネル、タッチパッド、マウス等のポインティングデバイス、キーボード等）である。出力装置１４は、人材紹介会社に対し情報を提示するための出力装置（ディスプレイ、スピーカ等）である。メモリ１５は、プログラム、および、プログラム等で処理されるデータ等を一時的に記憶するためのものであり、例えばＤＲＡＭ（Dynamic  Random  Access  Memory）等の揮発性のメモリである。記憶部１６は、データを保存するための記憶装置であり、例えばフラッシュメモリ、ＨＤＤ（Hard  Disc  Drive）である。プロセッサ１９は、プログラムに記述された命令セットを実行するためのハードウェアであり、演算装置、レジスタ、周辺回路などにより構成される。
【００２０】
サーバ２０は、各求職者の情報、及び、各求人企業の情報を管理する装置である。サーバ２０は、ネットワーク８０に接続されたコンピュータである。
【００２１】
図１に示すように、サーバ２０は、通信ＩＦ２２と、入出力ＩＦ２３と、メモリ２５と、ストレージ２６と、プロセッサ２９とを備える。
【００２２】
通信ＩＦ２２は、サーバ２０が外部の装置と通信するため、信号を入出力するためのインタフェースである。入出力ＩＦ２３は、人材紹介会社のユーザまたは求人企業のユーザからの入力操作を受け付けるための入力装置、および、人材紹介会社のユーザまたは求人企業のユーザに対し情報を提示するための出力装置とのインタフェースとして機能する。メモリ２５は、プログラム、および、プログラム等で処理されるデータ等を一時的に記憶するためのものであり、例えばＤＲＡＭ（Dynamic Random Access Memory）等の揮発性のメモリである。ストレージ２６は、データを保存するための記憶装置であり、例えばフラッシュメモリ、ＨＤＤ（Hard Disc Drive）である。プロセッサ２９は、プログラムに記述された命令セットを実行するためのハードウェアであり、演算装置、レジスタ、周辺回路などにより構成される。
【００２３】
求人企業の端末装置１０Ｂは、求人企業のユーザが操作する装置である。求人企業の端末装置１０Ｂは、例えば据え置き型のＰＣ（Ｐｅｒｓｏｎａｌ  Ｃｏｍｐｕｔｅｒ）、ラップトップＰＣなどにより実現される。求人企業の端末装置１０Ｂは、人材紹介会社の端末装置１０Ａと同様なハードウェア構成からなるので、ここでは繰り返して説明しない。
【００２４】
＜１．１  人材紹介会社の端末装置１０Ａの構成＞
図２は、第１の実施形態の人材紹介システム１を構成する人材紹介会社の端末装置１０Ａのブロック図である。図２に示すように、人材紹介会社の端末装置１０Ａは、通信部１１０Ａと、操作受付部１３０Ａと、表示部１４０Ａと、記憶部１７０Ａと、制御部１８０Ａと、を含む。端末装置１０Ａは、図２では特に図示していない機能及び構成（例えば、電力を保持するためのバッテリー、バッテリーから各回路への電力の供給を制御する電力供給回路など）も有している。図２に示すように、人材紹介会社の端末装置１０Ａに含まれる各ブロックは、バス等により電気的に接続される。
【００２５】
通信部１１０Ａは、人材紹介会社の端末装置１０Ａが他の機器と通信するための部品である。
【００２６】
操作受付部１３０Ａは、人材紹介会社のユーザの入力操作を受け付けるための機構を有する。例えば、操作受付部１３０Ａは、マウス、キーボード又はタッチパネルなどを含む。
【００２７】
表示部１４０Ａは、制御部１８０Ａの制御に応じて、画像、動画、テキストなどのデータを表示する。表示部１４０Ａは、例えば液晶ディスプレイによって実現される。
【００２８】
記憶部１７０Ａは、例えばフラッシュメモリ等により構成され、人材紹介会社の端末装置１０Ａが使用するデータおよびプログラムを記憶する。ある局面において、記憶部１７０Ａは、求職者情報１７１Ａと、求人企業情報１７２Ａとを記憶する。求職者情報１７１Ａと、求人企業情報１７２Ａとは、サーバ２０において管理される情報（後述する求職者情報データベース２８１、求人企業情報データベース２８２等）である。端末装置１０Ａがブラウザ等によりサーバ２０へアクセスすることにより、端末装置１０Ａにおいて、求職者情報１７１Ａおよび求人企業情報１７２Ａに基づく処理が行われる。
【００２９】
求職者情報１７１Ａは、人材紹介会社が人材紹介システム１を用いて求人企業に紹介する求職者の情報である。求職者情報は、例えば、求職者が求人サイトに応募して登録した情報であってよいし、人材紹介会社が登録した情報であってもよい。
【００３０】
求人企業情報１７２Ａは、人材紹介システム１における求人企業の情報である。
【００３１】
制御部１８０Ａは、記憶部１７０Ａに記憶されるプログラムを読み込んで、プログラムに含まれる命令を実行することにより、端末装置１０Ａの動作を制御する。制御部１８０Ａは、プログラムに従って動作することにより、入力操作受付部１８１Ａと、送受信部１８２Ａと、表示制御部１８３Ａと、通知制御部１８４Ａ、求職者検索部１８５としての機能を発揮する。
【００３２】
入力操作受付部１８１Ａは、マウス、キーボード等の入力装置に対する人材紹介会社の入力操作を受け付ける処理を行う。
【００３３】
送受信部１８２Ａは、端末装置１０Ａが、サーバ２０等の外部の装置と、通信プロトコルに従ってデータを送受信するための処理を行う。
【００３４】
表示制御部１８３Ａは、表示部１４０Ａの表示処理を制御する。
【００３５】
通知制御部１８４Ａは、人材紹介会社のユーザに対し通知情報を提示する処理を行う。通知制御部１８４Ａは、通知情報を表示部１４０Ａに表示させる処理等を行う。
【００３６】
求職者検索部１８５は、採用意思有無情報を指定して求職者を検索するための検索条件を受け付けて、当該検索条件を満たす求職者の情報を表示させる処理を行う。
【００３７】
＜１．２  求人企業の端末装置１０Ｂの構成＞
図３は、第１の実施形態の人材紹介システム１を構成する求人企業の端末装置１０Ｂのブロック図である。図３に示すように、求人企業の端末装置１０Ｂは、通信部１１０Ｂと、操作受付部１３０Ｂと、表示部１４０Ｂと、記憶部１７０Ｂと、制御部１８０Ｂと、を含む。端末装置１０Ｂは、図３では特に図示していない機能及び構成（例えば、電力を保持するためのバッテリー、バッテリーから各回路への電力の供給を制御する電力供給回路など）も有している。図３に示すように、求人企業の端末装置１０Ｂに含まれる各ブロックは、バス等により電気的に接続される。
【００３８】
通信部１１０Ｂは、求人企業の端末装置１０Ｂが他の機器と通信するための部品である。
【００３９】
操作受付部１３０Ｂは、求人企業のユーザの入力操作を受け付けるための機構を有する。例えば、操作受付部１３０Ｂは、マウス、キーボード又はタッチパネルなどを含む。
【００４０】
表示部１４０Ｂは、制御部１８０Ｂの制御に応じて、画像、動画、テキストなどのデータを表示する。表示部１４０Ｂは、例えば液晶ディスプレイによって実現される。
【００４１】
記憶部１７０Ｂは、例えばフラッシュメモリ等により構成され、求人企業の端末装置１０Ｂが使用するデータおよびプログラムを記憶する。ある局面において、記憶部１７０Ｂは、求職者情報１７１Ｂを記憶する。
【００４２】
求職者情報１７１Ｂは、人材紹介会社が人材紹介システム１を用いて求人企業に紹介する求職者の情報である。求職者情報は、例えば、求職者が求人サイトに応募して登録した情報であってよいし、求人企業が登録した情報であってもよい。
【００４３】
制御部１８０Ｂは、記憶部１７０Ｂに記憶されるプログラムを読み込んで、プログラムに含まれる命令を実行することにより、端末装置１０Ｂの動作を制御する。制御部１８０Ｂは、プログラムに従って動作することにより、入力操作受付部１８１Ｂと、送受信部１８２Ｂと、表示制御部１８３Ｂと、通知制御部１８４Ｂ、求職者情報取得部１８６と、採用意思表示部１８７としての機能を発揮する。
【００４４】
入力操作受付部１８１Ｂは、マウス、キーボード等の入力装置に対する求人企業のユーザの入力操作を受け付ける処理を行う。
【００４５】
送受信部１８２Ｂは、端末装置１０Ｂが、サーバ２０等の外部の装置と、通信プロトコルに従ってデータを送受信するための処理を行う。
【００４６】
表示制御部１８３Ｂは、表示部１４０Ｂの表示処理を制御する。
【００４７】
通知制御部１８４Ｂは、求人企業に対し通知情報を提示する処理を行う。通知制御部１８４Ｂは、通知情報を表示部１４０Ｂに表示させる処理等を行う。
【００４８】
求職者情報取得部１８６は、端末装置１０Ｂがサーバ２０から、人材紹介システム１に登録した全ての求職者の情報を取得して、表示部１４０Ｂに表示する処理を行う。
【００４９】
採用意思表示部１８７は、求人企業がそれぞれの求職者に対して、求職者を採用する意思の有無を示す採用意思有無情報を示す処理を行う。
【００５０】
＜１．３  サーバ２０の機能的な構成＞
図４は、サーバ２０の機能的な構成を示す図である。図４に示すように、サーバ２０は、通信部２０１と、記憶部２０２と、制御部２０３としての機能を発揮する。
【００５１】
通信部２０１は、サーバ２０が外部の装置と通信するための処理を行う。
【００５２】
記憶部２０２は、サーバ２０が使用するデータ及びプログラムを記憶する。記憶部２０２は、求職者情報データベース２８１と、求人企業情報データベース２８２等を記憶する。
【００５３】
求職者情報データベース２８１は、人材紹介会社が人材紹介システム１を用いて求人企業に紹介する求職者の情報を保持するためのデータベースである。詳細は後述する。
【００５４】
求人企業情報データベース２８２は、人材紹介システム１における求人企業に関する情報を保持するためのデータベースである。詳細は後述する。
【００５５】
制御部２０３は、サーバ２０のプロセッサがプログラムに従って処理を行うことにより、各種モジュールとして示す機能を発揮する。
【００５６】
受信制御モジュール２０３１は、サーバ２０が外部の装置から通信プロトコルに従って信号を受信する処理を制御する。
【００５７】
送信制御モジュール２０３２は、サーバ２０が外部の装置に対し通信プロトコルに従って信号を送信する処理を制御する。
【００５８】
求職者情報取得モジュール２０３３は、サーバ２０が人材紹介会社の端末装置１０Ａから、人材紹介会社が求人企業に紹介する求職者の情報を取得する処理を制御する。
【００５９】
採用意思有無情報取得モジュール２０３４は、サーバ２０が求人企業の端末装置１０Ｂから、それぞれの求職者を採用する意思の有無を示す採用意思有無情報を取得する処理を制御する。
【００６０】
求職者検索モジュール２０３５は、サーバ２０が人材紹介会社の端末装置１０Ａから、採用意思有無情報を指定して求職者を検索するための検索条件を受け付けて、当該検索条件を満たす求職者の情報を表示させる処理を行う。
【００６１】
＜２  データ構造＞
図５は、サーバ２０が記憶する求職者情報データベース２８１、求人企業情報データベース２８２のデータ構造を示す図である。また、サーバ２０は、料金プラン２８３を記憶している。
【００６２】
図５に示すように、求職者情報データベース２８１のレコードのそれぞれは、項目「求職者ＩＤ」と、項目「氏名」と、項目「詳細情報」と、項目「受けた採用意思有無情報」と、項目「面接日」と、項目「採用日」等を含む。
【００６３】
項目「求職者ＩＤ」は、それぞれの求職者を識別する情報である。
【００６４】
項目「氏名」は、それぞれの求職者の氏名を示す情報である。
【００６５】
項目「詳細情報」は、それぞれの求職者の求職に関連する個人情報である。例えば、「詳細情報」としては、年齢、性別、就業状態、職歴、希望年収、希望勤務地、職歴などの情報を含む。例えば、就業状態とは、現に求職者が就業しているのか、職には就いていない状態であるのか等の情報を含む。
【００６６】
なお、求職者の氏名及び詳細情報は、求職者が求人サイトなどに応募して登録し、サーバ２０に送信されて記憶される情報であってよいし、求人企業が直接に求人企業の端末装置１０Ａにより登録し、サーバ２０に送信されて記憶される情報であってもよい。
【００６７】
項目「受けた採用意思有無情報」は、それぞれの求職者がそれぞれの求人企業から受けた、求人企業が求職者を採用する意思の有無を示す情報である。
【００６８】
例えば、採用意思有無情報としては、採用をする意欲の程度に応じた複数の段階があることとしてもよく、例えば、「興味あり」（求人企業が求職者を採用する意思が高い）、「普通」（求人企業が求職者を採用する意思があるが、「興味あり」ほどの意欲はない。）、及び「興味なし」（求人企業が求職者を採用する意思がない）、という３つの選択肢があることとしてよい。つまり、採用意思有無情報としては、採用する意思がない場合（「興味なし」）のほかに、求職者を採用する意欲の高さに応じて、複数の段階（「興味あり」と「普通」）が求人企業のユーザに選択可能に提供している。
【００６９】
具体的には、「受けた採用意思有無情報」は、それぞれの採用意思有無情報を識別する興味ＩＤと、それぞれの採用意思有無情報を示した求人企業の企業名と、採用意思の有無に関する情報とを含むこととしてよい。
【００７０】
例えば、求職者情報データベース２８１における求職者ＡＢが受けた「＃００１、Ｘ社から、興味あり」という採用意思有無情報を例として説明すると、「＃００１」は、当該採用意思有無情報を識別するための興味ＩＤであり、「Ｘ社から」は、当該採用意思有無情報を示した求人企業の企業名であり、「興味あり」は、Ｘ社が求職者ＡＢを採用する意思があるという意味である。求職者情報データベース２８１において、求人企業のユーザが各求職者に対して「興味あり」などの採用意思有無情報を設定したタイミングを保持する。
【００７１】
項目「面接日」は、求職者が求人企業と面接をしたタイミングを示す。例えば、人材紹介会社のユーザが、求職者に連絡をして求人企業との面接の日程調整をした場合に、人材紹介会社の端末装置１０Ａが、求職者の情報に関連付けて、当該面接のタイミングをサーバ２０に送信し、サーバ２０において求職者データベース２８１を更新する。求人企業によっては、求職者に対し、面接を経ることなく採用の内定を出すこともあり得る。
【００７２】
項目「採用日」は、求人企業が求職者を採用したタイミング（採用を内定したタイミング）を示す。例えば、求人企業が、人材紹介会社に対し、求職者を内定したことを通知し、人材紹介会社のユーザが、端末装置１０Ａにより、当該求職者について採用が内定したことをサーバ２０へ通知し、サーバ２０が求職者データベース２８１を更新する。
【００７３】
以上により、求職者データベース２８１は、各求職者の情報と関連付けて、サーバ２０が提供するシステムに登録されたタイミング、各求人企業が「興味あり」などの採用意思有無情報を設定したタイミング、求人企業が求職者を採用するための行動（面接の実施、内定の通知など）をしたタイミングを保持する。
【００７４】
求人企業情報データベース２８２のレコードのそれぞれは、項目「企業ＩＤ」と、項目「企業名」と、項目「料金プラン」と、項目「求人詳細」と、項目「示した採用意思有無情報」と、項目「面接履歴」と、項目「採用履歴」等を含む。
【００７５】
項目「企業ＩＤ」は、それぞれの求人企業を識別する情報である。
【００７６】
項目「企業名」は、それぞれの求人企業の名称を示す情報である。
【００７７】
項目「料金プラン」は、求人企業が、サーバ２０が提供するシステムを利用するための対価を支払うプランを示す情報である。後述する料金プラン２８３に示すように、サーバ２０は、求人企業に対し、対価の額と、採用可能な人数とに応じて、複数の料金プランを提供している。
【００７８】
項目「求人詳細」は、それぞれの求人企業の求人に関連する情報である。例えば、「求人詳細」としては、業種、職種、給与、雇用形態、勤務地などの情報を含む。
【００７９】
項目「示した採用意思有無情報」は、それぞれの求人企業がそれぞれの求職者に対して示した、求人企業が求職者を採用する意思の有無を示す情報である。
【００８０】
具体的には、「示した採用意思有無情報」は、それぞれの採用意思有無情報を識別する興味ＩＤと、それぞれの採用意思有無情報を受けた求職者の求職者の氏名と、採用意思の有無に関する情報と、求人企業が求職者に対し採用する意思を示す情報（採用意思有無情報）を設定したタイミングとを含むこととしてよい。
【００８１】
例えば、求人企業情報データベース２８２における求人企業Ｘ社が示した「＃００１、求職者ＡＢへ、興味あり」という採用意思有無情報を例として説明すると、「＃００１」は、当該採用意思有無情報を識別するための興味ＩＤであり、「求職者ＡＢへ」は、当該採用意思有無情報を受けた求職者の氏名であり、「興味あり」は、Ｘ社が求職者ＡＢを採用する意思があるという意味である。
【００８２】
項目「面接履歴」は、求人企業が求職者を採用するための行動として面接を実施した履歴（面接のタイミング）を示す。
【００８３】
項目「採用履歴」は、求人企業が求職者を採用するための行動として内定を出した履歴（内定の通知をしたタイミング）を示す。
【００８４】
料金プラン２８３は、求人企業が、サーバ２０が提供するシステムを利用するための複数の料金プランの情報を含む。図示するように、各料金プランは、項目「プランＩＤ」と、項目「対価」と、項目「採用可能な人数」等を含む。
【００８５】
項目「プランＩＤ」は、料金プランを識別する情報である。
【００８６】
項目「対価」は、対価の額を示し、例えば、月額の利用料金などサブスクリプション型の料金体系の対価の額として設定されている。
【００８７】
項目「採用可能な人数」は、料金プランにおいて、サーバ２０が提供するシステムを通じて採用することができる人数の上限または下限を示す。例えば、求人企業によっては、年間で人員を補充したい人数の下限が想定されている。例えば、店舗を運営していくうえで、毎月（または四半期などの一定期間）、採用をしたい人数が規定されることがある。求人企業は、採用をしたい人数の規模感に応じて、複数の料金プランのいずれかを選択する。図示する例では、一定期間として、年間で採用できる人数の範囲を、料金プランごとに規定している。採用をしたい人数として、月あたりの採用可能な人数（例えば、料金プランごとに、毎月採用できる人数）を規定していてもよい。
【００８８】
以上のように、サーバ２０が提供する人材紹介システムでは、求人企業は、サーバ２０が提供するシステムに対する対価を支払うことにより、料金プランに規定された範囲内において、採用し放題となる。求人企業は、求職者の希望年収にかかわらず、料金プランに規定された対価を支払うことで、求職者を採用するための行動をすることができる。求職者の希望年収に応じて求人企業が人材紹介会社に手数料を支払う場合と比較すると、求人企業が、料金プランの枠内では、求職者を採用しても、求職者の希望年収によっては追加の費用の負担もないため、まず採用してみようという意思決定をすることを促すことができる。これにより、人材の流動性をよりいっそう高めることができ、求人企業が求職者を採用できる可能性、および、求職者が採用に至る可能性をよりいっそう向上させうる。
【００８９】
＜３  動作＞
以下、図６を参照しながら、第１の実施の形態の人材紹介システム１により、人材紹介会社の端末装置１０Ａにおいて、採用意思有無情報を指定して求職者を検索する処理について説明する。
【００９０】
図６は、人材紹介会社の端末装置１０Ａにおいて、採用意思有無情報を指定して求職者を検索する流れの一例を示すフローチャートである。
【００９１】
ステップＳ６１１において、人材紹介会社の端末装置１０Ａは、求職者の情報を登録する操作を受け付ける。登録された求職者の情報は、サーバ２０に送信される。なお、求職者の情報は、例えば、求職者が求人サイトなどに応募して登録し、サーバ２０に送信されて記憶される情報であってよい。
【００９２】
ステップＳ６２１において、サーバ２０は、登録された全ての求職者の情報を、求人企業の端末装置１０Ｂに送信して表示させる。また、求職者が求人サイトなどに個別の求人企業に応募した場合に、サーバ２０は、当該求職者の情報を、応募した求人企業だけではなく、全ての求人企業の端末装置１０Ａに送信して表示させる。ここで、求職者の情報は、氏名、年齢など、特定の個人であることを容易に識別できる情報を含みうるが、求人企業の端末装置１０Ｂに対し、求職者の情報の一部の情報を秘匿した状態で（ブラインドレジュメ）表示させることとしてもよい。例えば、サーバ２０は、求職者の情報のうち、特定の個人であることを識別することが容易な情報（氏名など）については、求人企業に対し提示しないこととしてもよい。
【００９３】
また、サーバ２０は、新しい求職者の情報を登録する操作を受け付けた際、新しい求職者が登録された旨を、求人企業の端末装置１０Ｂに送信することとしてもよい。
【００９４】
これにより、求人企業に新しい求職者の情報をチェックするように促し、人材を逃すことを避けることができる。
【００９５】
また、サーバ２０は、求人企業の端末装置１０Ｂから、求職者を絞るための指定条件を受け付けて、当該指定条件を満たす求職者の情報を、求人企業の端末装置１０Ｂに送信して表示させることとしてもよい。
【００９６】
例えば、求人企業は、求職者を絞るために、希望年収が４００万から５００万であることを指定条件とした場合に、サーバ２０は、求職者データベース２８１を照合し、当該指定条件を満たす求職者の情報を抽出し、求人企業の端末装置に送信して表示させる。
【００９７】
これにより、求人企業の端末装置には、求人企業が所望する求職者のみを表示し、求職者の情報をチェックするための求人企業側の負担を減らすことができる。
【００９８】
また、サーバ２０は、求人企業の求人情報と、求職者の情報とから単語を抽出し、単語同士の類似度に基づき、求職者の情報の表示順序を特定することとしてもよい。
【００９９】
例えば、サーバ２０は、求人企業の求人情報と、求職者の情報とから単語を抽出し、両方とも「秘書」という単語を含む場合に、当該求職者が当該求人に適する可能性が高いと判定し、他の求職者よりも当該求職者の情報を優先的に求人企業の端末装置に表示させる。
【０１００】
これにより、求人情報と求職者の情報との類似度に基づき、求人に適しそうな求職者を優先的に求人企業に提示し、求人企業が所望する人材を効率よく紹介することができる。
【０１０１】
ステップＳ６３１において、求人企業の端末装置１０Ｂは、求人企業の担当者から、それぞれの求職者について、求職者を採用する意思の有無を示す採用意思有無情報を受け付ける。
【０１０２】
例えば、求人企業が求職者を採用する意思がある場合に、当該求職者に「興味あり」という採用意思有無情報を示し、求職者を採用する意思があるかどうかはどちらともいえない場合に、「普通」という採用意思有無情報を示し、求職者を採用する意思がない場合に、「興味なし」という採用意思有無情報を示し、サーバ２０へ送信して記憶する。
【０１０３】
なお、ある求人企業は、同一の求職者に対して採用意思有無情報を複数回示し、過去に示した採用意思有無情報を変更可能であることとしてもよい。例えば、求人企業は、過去に「興味なし」の求職者に対して、「興味あり」の採用意思有無情報を改めて示し、サーバ２０は、「興味あり」の求職者として記憶し、「興味あり」に変更されたタイミングを記憶する。
【０１０４】
また、採用意思有無情報が、採用意思が有ることを示すものである場合（「興味あり」など）、サーバ２０は、当該採用意思有無情報を受け付けた旨を、人材紹介会社の端末装置１０Ａに通知することとしてもよい。
【０１０５】
例えば、求人企業が求職者に「興味あり」の採用意思有無情報を示す操作をすることにより、サーバ２０は、当該の採用意思有無情報を受け付ける。この場合に、サーバ２０は、人材紹介会社の端末装置１０Ａに、当該「興味あり」の採用意思有無情報に関わる求人企業の企業名、求職者の氏名、反応の日時などの情報を送信する。
【０１０６】
これにより、人材紹介会社は求人企業の反応をすぐに確認しつつ、求人企業が所望する人材を効率よく紹介することができる。
【０１０７】
また、サーバ２０は、それぞれの求職者が受けた採用意思有無情報に基づき、当該求職者が採用される可能性を評価するパラメータを生成することとしてもよい。
【０１０８】
例えば、ある求職者が受けた全ての採用意思有無情報のうち、「興味あり」の割合が所定の割合以上である場合に、当該求職者が採用される可能性を評価するパラメータを、「優秀」と判定して生成する。
【０１０９】
これにより、求職者への求人企業の反応に基づき、それぞれの求職者を評価して、人材紹介に有益な情報を提供することができる。
【０１１０】
ステップＳ６１２において、人材紹介会社の端末装置１０Ａは、採用意思有無情報を指定して求職者を検索するための検索条件を受け付ける。
【０１１１】
例えば、人材紹介会社の端末装置１０Ａにおいて、人材紹介会社の担当者は、求職者を検索するための検索条件として、「興味あり」、「普通」、「興味なし」から１つを指定して検索を行う。
【０１１２】
ステップＳ６２２において、サーバ２０は、受け付けた検索条件を満たす求職者の情報を検索し、人材紹介会社の端末装置１０Ａに送信する。
【０１１３】
例えば、「興味あり」の採用意思有無情報を受けた求職者を検索するために、「興味あり」を検索条件とした場合に、サーバ２０は、求職者データベース２８１を照合し、「興味あり」を受けた求職者を特定し、当該求職者の情報を人材紹介会社の端末装置１０Ａに送信する。
【０１１４】
ステップＳ６１３において、人材紹介会社の端末装置１０Ａは、検索条件を満たす求職者の情報を表示する。
【０１１５】
例えば、「興味あり」の採用意思有無情報を受けた求職者を検索するために、「興味あり」を検索条件とした場合に、人材紹介会社の端末装置１０Ａは、「興味あり」を受けた求職者の情報を受信し、求職者の氏名、及び、それぞれの「興味あり」を示した求人企業の企業名などの情報は表示する。
【０１１６】
また、人材紹介会社の端末装置１０Ａは、受け付けた検索条件を満たす求職者を一括で（または一部）選択する操作をユーザから受け付けて、当該求職者に、求人案内、面接日程調整、内定連絡などの所定の通知をまとめて一括で送信することとしてもよい。当該通知には、採用意思有無情報を含めてもよい。
【０１１７】
例えば、「興味あり」を受けた全ての求職者に、「興味あり」を受けた旨の通知と、それぞれの「興味あり」を示した求人企業の情報を一括に送信する。
【０１１８】
これにより、人材紹介会社は簡単な操作で、各求人企業が採用しようとする全ての求職者にアプローチの連絡をすることができる。人材紹介会社のユーザは、求人企業のユーザが各求職者に対して行う「興味あり」、「普通」、「興味なし」などの採用意思有無情報の関連付けを行った結果に基づいて、求職者を抽出することができ、人材紹介のための行動を容易に行うことができる。その結果、求人企業が容易に求職者を採用することができ、人材の流動性をよりいっそう向上させることができる。
【０１１９】
上記一連の処理により、人材紹介会社の端末装置１０Ａにおいて、採用意思有無情報を指定して求職者を検索することができる。そのため、人材紹介会社は、求人企業が所望する人材を効率よく紹介することができる。
【０１２０】
＜変形例＞
（ｉ）最適な料金プランの提案：
上記の料金プラン２８３で説明したように、求人企業が人材紹介会社に支払う対価の金額に応じて、求人企業が採用可能な人数に上限又は下限を設定することとしてもよい。
【０１２１】
例えば、人材紹介会社は、求人企業が支払う対価の金額によって、求人企業が人材紹介サービスを利用して採用可能な人数の上限を設定し、金額が大きければ大きいほど、当該上限を高くする。なお、求人企業が支払う対価の金額によって、上限又は下限をなくすることとしてもよい。
【０１２２】
これにより、求人企業は、自社の採用の需要により、最適な料金プランを選択することができる。
【０１２３】
また、サーバ２０は、求職者情報データベース２８１の情報（項目「採用日」、項目「面接日」など）、求人企業情報データベース２８２の情報等に基づき、求人企業が人員を採用する需要の変化に応じて、求人企業のユーザに対し、料金プランを提案することとしてもよい。例えば、サーバ２０は、求人企業の規模の情報（社員数など）、事業規模の情報（売上高など）に基づき、採用する必要がある人員数を予測する。サーバ２０は、求人企業に予測される、採用する必要がある人員数に対し、料金プランで採用可能な人数が適切になるよう（料金プランに応じて採用可能になるよう）、求人企業に料金プランの変更を提案してもよい。サーバ２０は、端末装置１０Ｂにおいて、当該求人企業が契約している料金プランおよび採用可能な人数と、今後、採用が必要になると予想される人員数とを表示させ、求人企業のユーザから、料金プランを指定する操作を受け付ける。
【０１２４】
また、サーバ２０は、求職者情報データベース２８１、求人企業情報データベース２８２等に基づいて、求人企業の採用の実績（人員を採用した履歴）と、求人企業から退職する人員の履歴等に基づいて、複数の料金プランのうち、求人企業に適した料金プランを特定することとしてもよい。例えば、サーバ２０は、求人企業の規模、事業内容、採用の実績の時系列データに基づいて学習済みモデルを生成することにより、求人企業が今後必要となる採用の人数を予測することができ、予測結果に応じて、求人企業に料金プランを提案することとしてもよい。
【０１２５】
（ｉｉ）求人企業と求職者とのマッチングを促すために、求職者に対し求人企業が採用の意思の有無を示すことを促す：
（ｉｉ―１）求人企業への通知
サーバ２０は、求職者情報データベース２８１に、新たに求職者の情報が登録された場合（または、既に登録済みの求職者が、退職等により求職中の状態になった場合）、当該登録されたことに応答して、求人企業のユーザに通知をすることとしてもよい。サーバ２０は、求職者の情報として所定の項目（例えば、求職者のプロフィールまたは勤務条件の少なくともいずれか）が登録されたことに応答して、求職者の情報を求人企業に公開してよいとみなし、当該所定の項目が登録されているすべての求職者の情報を、求人企業のユーザが閲覧可能に設定してもよい。
【０１２６】
求人企業のユーザは、求職者が新たに登録されたことの通知に応答して、端末装置１０Ｂにより、求職者の情報を確認し、採用意思有無情報の設定などを行うことができる。これにより、求職者が登録されてから求人企業とマッチングされる可能性を高めることができる。
【０１２７】
また、サーバ２０は、求人企業の求人情報に含まれる語（単語）と、求職者の情報に含まれる語（単語）との類似度に基づいて、求人企業にマッチングする可能性が高い求職者の情報を特定し、特定した求職者の情報を、当該求人企業のユーザが閲覧しやすいように提示してもよい。例えば、求人企業のユーザは、端末装置１０Ｂにより、複数の求職者の情報を表示することができ、この際の表示順として、当該特定された求職者の情報を優先して並べて表示することとしてもよい。これにより、求人企業が求職者を採用しようと行動することを促すことができ、求人企業と求職者とをマッチングさせる可能性をよりいっそう向上させることができうる。
【０１２８】
また、サーバ２０は、求職者データベース２８１における各求職者のプロフィール（項目「詳細情報」）、採用意思有無情報を設定された履歴（項目「受けた採用意思有無情報」）、採用に至るまでのイベントの発生の履歴（項目「面接日」、項目「採用日」）に基づき、学習済みモデルを作成しておくことにより、新たに登録される求職者の情報に基づき、求人企業ごとに、当該新たに登録される求職者を採用する可能性、および、採用に至るまでの期間を評価することができる。サーバ２０は、求人企業ごとに、学習済みモデルに基づいて、新たに登録される求職者のうち、採用する可能性が高いと評価される求職者があることを、求人企業のユーザに通知することとしてもよい。求人企業のユーザは、端末装置１０Ｂにより、採用する可能性が高いと評価される求職者の情報を確認することができ、人材紹介会社に採用したい旨の連絡をすること、求職者の情報に対し採用意思有無情報を設定することがよりいっそう容易になる。これにより、求職者と求人企業とのマッチングをよりいっそう促すことができる。
【０１２９】
（ｉｉ―２）インセンティブの付与
また、求人企業が、求職者に対して採用意思有無情報の設定をすることにより、求人企業のユーザにインセンティブを付与することとしてもよい。当該インセンティブは、例えば、金銭的価値を有するもの（ポイントなど、仮想的な通貨として扱われるもの。求人企業のユーザと関連付けてポイントを付与することとしてもよいし、求人企業と関連付けてポイントを付与することとしてもよい）があり、当該金銭的価値を他のユーザに譲渡したり製品またはサービスの対価として使用できることとしてもよい。当該インセンティブとしては、このほかに、施設、サービスなどを利用できる権利であるとしてもよい。また、例えば、新たに求職者が登録されてから一定時間内に採用意思有無情報を設定した場合にインセンティブをさらに付与することとしてもよいし、一定時間内に採用意思有無情報を設定した場合に限りインセンティブを付与することとしてもよい。これにより、求職者が新たに登録されてから求人企業によって興味の有無を早期に設定される可能性を高めることができ、求職者と求人企業とのマッチングを促すことができる。
【０１３０】
（ｉｉ―３）求職者に対する採用意思の有無を制限なく設定可能
求人企業が人材紹介会社に支払う対価の金額に関らず、採用意思有無情報を示す可能な回数に上限を設定しないこととしてもよい。例えば、サーバ２０は、求人企業が料金プラン２８３に示される対価を支払っている場合に、求人企業のユーザが求職者に対して採用意思有無情報を設定することに対し、特段、さらに別の対価（例えば、サーバ２０が提供するシステムで利用可能なポイントなど）を消費しないこととしてもよい。
【０１３１】
具体的に、各求人企業は、人材紹介会社に支払う対価の金額に関らず、全ての求職者の情報をチェックし、興味あるか否かの採用意思有無情報を、回数制限なしに何度も示すことが可能である。
【０１３２】
これにより、求人企業は、費用を発生することなく、興味がある求職者にアプローチすることができる。例えば、対価の金額により、求人企業が採用可能な人数に上限がある場合であっても、興味がある求職者にアプローチする（採用意思有無情報を設定する）回数に制限を設けないこととしてもよい。
【０１３３】
＜４  画面例＞
図７は、本開示の端末装置の画面例を示す図である。図７（Ａ）は、第１実施形態における求人企業の端末装置１０Ｂの画面例であり、図７（Ｂ）、図７（Ｃ）、図７（Ｄ）は、人材紹介会社の端末装置１０Ａの画面例である。
【０１３４】
図７の画面例（Ａ）は、求職者の情報を求人企業の端末装置に表示し、求人企業から、当該求職者を採用する意思の有無を示す採用意思有無情報を受け付ける局面を示す図である。
【０１３５】
画面例（Ａ）に示すように、求人企業の端末装置１０Ｂには、領域１３２Ａに、求職者の情報は表示されている。求人企業の担当者は、当該求職者の情報をチェックして、採用する意思があるか否かを判断し、領域１３２Ｂにおいて、興味の有無として、「興味あり」、「普通」、「興味なし」から１つを選択することにより、各求職者について採用意思有無情報を入力する。これにより、求職者の情報を求人企業に提示しつつ、求人企業から、それぞれの求職者を採用する意思の有無を示す採用意思有無情報を受け付けることができ、サーバ２０の求職者データベース２８１が更新される。
【０１３６】
図７の画面例（Ｂ）は、人材紹介会社の端末装置１０Ａから、採用意思有無情報を指定して求職者を検索するための検索条件を受け付ける局面を示す図である。
【０１３７】
画面例（Ｂ）に示すように、人材紹介会社の端末装置１０Ａにおいて、人材紹介会社の担当者は、求職者を検索するための検索条件を指定することができる。端末装置１０Ａは、サーバ２０にアクセスすることにより、サーバ２０から各求職者の情報を受信して、領域１３２Ｃに表示する。
【０１３８】
図示する例では、領域１３２Ｃにおいて、複数の求職者のうち一部の求職者の情報を表示している。端末装置１０Ａは、求職者の情報として、求職者情報データベース２８１に示されるように、求職者の氏名、詳細情報（年齢、就業形態など）などを領域１３２Ｃに表示している。端末装置１０Ａは、人材紹介会社の担当者から、各求職者を選択する操作を受け付けており、求職者が選択されると、選択されたことを示す表示（図示する例では、各求職者に関連付けられるチェックボックスがチェックされる）をする。
【０１３９】
端末装置１０Ａにおいて、人材紹介会社の担当者は、求人企業が求職者を採用する活動を支援するため、求職者を検索する操作を行う。求職者を検索する条件としては、求職者の年齢、就業状態、希望年収、希望勤務地、職歴、求人企業の担当者が各求職者について入力する採用意思有無情報（「興味あり」、「普通」、「興味なし」、または、求人企業が求職者に採用意思有無情報を指定していない「求人企業の入力なし」）など、求職者情報データベース２８１の各項目の情報が含まれる。
【０１４０】
端末装置１０Ａは、領域１３２Ｄにおいて、人材紹介会社の担当者から、検索条件を指定する操作を受け付ける。例えば、端末装置１０Ａにおいて、人材紹介会社の担当者は、検索条件として、採用意思有無情報（「興味あり」、「普通」、「興味なし」）からいずれか１つまたは複数を選択する。端末装置１０Ａは、操作受付部１３２Ｅへの入力操作に応答して、指定された検索条件に基づき求職者の検索を行うようサーバ２０へ通知する。また、端末装置１０Ａは、人材紹介会社の担当者が検索条件を指定する入力操作に応答して、当該検索条件に基づき求職者の検索をするようサーバ２０に検索条件の情報を送信してもよい。例えば、領域１３２Ｄにおいて、採用意思有無情報（「興味あり」など）を指定する入力操作に応答して（操作受付部１３２Ｅへの入力操作がなくとも）、当該指定された情報に基づき（例えば、「興味あり」を指定する操作に応答して）求職者を検索する。
【０１４１】
以上により、人材紹介会社は、求人企業が示した採用意思有無情報に基づき、求職者を検索することができる。例えば、人材紹介会社の端末装置１０Ａは、「興味あり」という検索条件を受け付けると、画面例（Ｃ）に遷移する。
【０１４２】
図７の画面例（Ｃ）は、人材紹介会社の端末装置１０Ａにおいて、上記検索条件を満たす求職者の情報を表示する局面を示す図である。
【０１４３】
画面例（Ｃ）に示すように、人材紹介会社の端末装置１０Ａにおいて、領域１３２Ｆに、人材紹介会社の担当者が指定した検索条件を表示する。端末装置１０Ａは、領域１３２Ｇに、検索条件に従って抽出される各求職者を表示する。端末装置１０Ａは、領域１３２Ｇに示される各求職者を、人材紹介会社の担当者が一括して選択する操作（例えば、「一括チェック」への入力操作）を受け付ける。図示する例では、検索条件として、採用意思有無情報の「興味あり」という検索条件を満たす求職者、すなわち、求人企業から「興味あり」という採用意思有無情報を受けた求職者の情報は表示されている。具体的には、採用意思有無情報の興味ＩＤ、当該採用意思有無情報を示した求人企業の企業名、及び、当該採用意思有無情報を受けた求職者の氏名は表示されている。
【０１４４】
これにより、人材紹介会社の担当者は、日々、登録される求職者の情報を管理しつつ、各求職者に対して、効率よく連絡などの行動をすることができる。
【０１４５】
例えば、求人企業が採用意思有無情報を入力している求職者と、求人企業が未だ採用意思有無情報を入力していない求職者とでは、求人企業と求職者とのマッチングを促す人材紹介会社の担当者がとるべき行動（連絡など）が異なりうる。
【０１４６】
当該行動としては、採用の可能性が高い求職者に対しては、求人企業での採用を受けて労働を開始するための諸条件（雇用開始に必要な各種書類の提出、健康診断の受検など）を満たすための手続を行うこと、求人企業との面接の日程調整を打診すること、などがあり得る。一方、求人企業の興味の有無が示されていない、または、関心が低い（「興味なし」など）など、採用の可能性が不明な求職者に対しては、採用の可能性を高めるための行動（スキルの習得など）を提案するなどがあり得る。以上により、人材紹介会社は、求人企業が示した採用意思有無情報に基づき、求人企業と求職者とのマッチングを、よりいっそう効率的に行うことができる。
【０１４７】
また、画面例（Ｃ）において、端末装置１０Ａは、人材紹介会社の担当者が選択した１または複数の求職者に対し、一括して連絡などの行動をするための操作受付部１３２Ｈを表示する。端末装置１０Ａは、当該操作受付部１３２Ｈへの入力操作に応答して、選択されている求職者に対しメールを送信するなどの所定の処理を行う。図示する例では、操作受付部１３２Ｈは、「興味あり」という検索条件を満たす求職者に、「興味あり」の採用意思有無情報を受けた旨の通知を送信するための「求職者に一括送信」ボタンとして機能する。当該通知には、例えば、「興味あり」の反応を示した求人企業の企業名、反応の日時などの情報を含む。これにより、人材紹介会社は簡単な操作で、各求人企業が採用しようとする全ての求職者にアプローチの連絡をすることができる。端末装置１０Ａは、人材紹介会社の担当者ではなく、端末装置１０Ａのユーザではない求人企業の担当者が各求職者に対して指定した採用意思有無情報に基づいて、採用の可否の可能性に応じて求職者を絞り込むことができる。
【０１４８】
端末装置１０Ａは、人材紹介会社の担当者が、各求職者への連絡を容易に行えるよう、採用意思有無情報に基づいて、予め、通知する内容を保持していてもよい。例えば、求人企業によって「興味あり」が設定された求職者に対しては、人材紹介会社の担当者は、上記のように面接の調整など採用に至るまでの行動をするための通知をすることが想定される。一方、求人企業によって「興味なし」が設定された求職者に対しては、ほかの求人企業が採用を開始するまで求職者に待機するよう促したり、スキルの習得を促すなどの通知をすることが想定される。端末装置１０Ａは、求職者の検索条件として指定される情報の種類と、求職者に対して行う通知内容とを対応付けて保持することとしてもよい。端末装置１０Ａは、求職者の検索条件に従って、操作受付部１３２Ｈにより処理を受け付ける内容を変更してもよい。例えば、求職者の検索条件として、「興味あり」が指定された場合、端末装置１０Ａは、選択された求職者に対し、操作受付部１３２Ｈへの入力操作により、採用活動を進行させるための通知（面接日程の調整など）を一括して行うこととしてもよい。一方、求職者の検索条件として、「興味なし」が指定された場合、端末装置１０Ａは、選択された求職者に対し、操作受付部１３２Ｈへの入力操作により、他の求人企業からの採用の可能性を高めるための通知（スキル講習の案内など）を一括して行うこととしてもよい。
【０１４９】
図７の画面例（Ｄ）は、人材紹介会社の端末装置１０Ａにおいて、求人企業が求職者に「興味あり」の反応を示した場合に、当該旨の通知を受信する局面を示す図である。
【０１５０】
画面例（Ｄ）に示すように、人材紹介会社の端末装置１０Ａにおいて、求人企業が求職者に「興味あり」の反応を示した旨の通知、及び、当該反応をチェックするためのリンクは表示されている。これにより、人材紹介会社は求人企業の反応をすぐに確認して、求人企業が所望する人材を効率よく紹介することができる。
【０１５１】
＜小括＞
以上のように、本開示によると、人材紹介会社の端末装置には、求人企業が求職者へ示した採用意思有無情報に基づき、求職者の情報を検索することができる。これにより、求人企業と人材紹介会社との間で行われる人材紹介を支援し、求人企業が所望する人材を効率よく紹介することができる。
【０１５２】
＜付記＞
以上の各実施の形態で説明した事項を以下に付記する。
【０１５３】
（付記１）
プロセッサ（２９、１９）を備えるコンピュータ（２０、１０）に実行させ、求人企業（１０Ｂ）と人材紹介会社（１０Ａ）との間で行われる人材紹介を支援するためのプログラムであって、プログラムは、プロセッサに、求職者の情報を登録する操作を受け付ける第１ステップ（Ｓ６１１）と、登録された求職者の情報（２８１）を、求人企業のユーザに提示する第２ステップと（Ｓ６２１）、求人企業のユーザから、当該求人企業のユーザに提示される各求職者の情報と関連付けて、採用意思を示す情報の設定を受け付ける第３ステップ（Ｓ６３１、２８１、２８２）と、人材紹介会社のユーザから、求職者の検索条件として、求人企業のユーザにより設定される採用意思を示す情報を指定する入力操作を受け付ける第４ステップ（Ｓ６１２）と、受け付けた検索条件の採用意思を示す情報に従って抽出される求職者の情報を人材紹介会社のユーザに提示する第５ステップ（Ｓ６２２、Ｓ６１３）と、を実行させる、プログラム。
【０１５４】
（付記２）
第３ステップにおいて、求人企業のユーザから、採用意思を示す情報として、採用をする意欲の程度に応じた段階的な複数種類の情報のうちいずれかの設定を受け付けており（１３２Ｂ）、第４ステップにおいて、人材紹介会社のユーザから、求職者の検索条件として、採用をする意欲の程度に応じた各段階を指定する入力操作を受け付ける（１３２Ｄ、１３２Ｅ）、付記１に記載のプログラム。
【０１５５】
（付記３）
第３ステップにおいて、求人企業のユーザから、採用をする意欲があることを示す情報と、採用をする意欲がないことを示す情報との設定を各求職者について受け付けており（１３２Ｂ、「興味あり」、「普通」、「興味なし」）、採用をする意欲があることを示す情報として、採用をする意欲の程度に応じて複数段階に区分された各段階のいずれかの設定を各求職者について受け付け、第４ステップにおいて、人材紹介会社のユーザから、求職者の検索条件として、採用をする意欲があることを示す情報において区分される各段階を指定する入力操作を受け付ける（１３２Ｄ）、付記２に記載のプログラム。
【０１５６】
（付記４）
人材紹介会社のユーザから、第５ステップにおいて提示される各求職者の少なくとも一部について、一括して所定の通知をするための入力操作を受け付け（１３２Ｇ、１３２Ｈ）、当該通知をするための入力操作に応答して、当該求職者それぞれに対し、所定の通知を行う、付記１から３のいずれかに記載のプログラム。
【０１５７】
（付記５）
コンピュータにおいて、検索条件として指定される情報の種類と、所定の通知とが対応付けられて管理されており、求職者それぞれに対し、検索条件に応じた所定の通知を行うための入力操作を受け付ける（１３２Ｈ）、付記４に記載のプログラム。
【０１５８】
（付記６）
第１ステップにおいて求職者の情報が登録されたことに応答して、当該求職者の情報が登録されたことを求人企業のユーザに通知する（Ｓ６１１、Ｓ６２１）、付記１から５のいずれかに記載のプログラム。
【０１５９】
（付記７）
コンピュータの記憶部において、登録される求職者の情報と、求人企業に採用される過程における採用イベントの発生の履歴とを記憶させ（２８１、２８２）、第１ステップにおいて新たに求職者の情報の登録を受け付けると、登録される求職者の情報と、記憶部の履歴とに基づいて、当該登録される求職者が求人企業に採用される可能性を評価し、当該評価結果に基づいて、登録される求職者を優先して求人企業のユーザに提示する、付記６に記載のプログラム。
【０１６０】
（付記８）
第１ステップにおいて、求職者の情報として、求職者のプロフィールおよび勤務条件の少なくともいずれかの登録を受け付けており、プロフィールおよび勤務条件の少なくともいずれかが登録されることにより、登録された求職者の情報を、すべて、求人企業のユーザに提示する（Ｓ６２１）、付記１から７のいずれかに記載のプログラム。
【０１６１】
（付記９）
第３ステップにおいて、採用意思を示す情報として、採用をする意欲があることを示す情報が設定されたことに応答して、当該設定がされた求職者の情報を人材紹介会社のユーザに通知する、付記１から８のいずれかに記載のプログラム。
【０１６２】
（付記１０）
第２ステップにおいて、求人企業の求人情報と、求職者の情報とのそれぞれに含まれる単語の類似度に基づき、求人企業のユーザに対して優先して提示する求職者の情報を特定する、付記１から９のいずれかに記載のプログラム。
【０１６３】
（付記１１）
求人企業が支払う対価の額に応じて、求人企業が所定期間内に採用可能な人数に上限又は下限を設定する（２８３）、付記１から１０のいずれかに記載のプログラム。
【０１６４】
（付記１２）
求人企業が人材紹介会社に支払う対価の額に関らず、各求職者に対し採用意思を示す情報を設定することが可能な回数に上限を設定しない、付記１１に記載のプログラム。
【０１６５】
（付記１３）
求人企業が人材紹介を受けるために対価を支払う複数の料金プランとして、当該人材紹介を受けることができる期間について支払う対価の額と、期間内に採用可能な人数の数とが段階的に設定されており、少なくとも、採用可能な人数に上限がない第１の料金プランを含み、求人企業の採用実績の情報を記憶部に記憶させ（２８１、２８２）、求人企業の規模の情報、または、求人企業の採用実績の情報に基づいて、複数の料金プランのうち、求人企業に適した料金プランを特定し、当該特定された料金プランを求人企業のユーザに提示する、付記１１または１２に記載のプログラム。
【符号の説明】
【０１６６】
１０Ａ  人材紹介会社の端末装置、１０Ｂ  求人企業の端末装置、２０  サーバ、８０  ネットワーク、２２  通信ＩＦ、２３  入出力ＩＦ、２５  メモリ、２６  ストレージ、２９  プロセッサ、２０１  通信部、２０２  記憶部、２８１  求職者情報データベース、２８２  求人企業情報データベース、２０３制御部。
【要約】      （修正有）【課題】求人企業と人材紹介会社との間で行われる人材紹介を支援し、求人企業が所望する人材を効率よく紹介することを可能にするプログラム、方法及び情報処理装置を提供する。【解決手段】方法は、人材紹介会社の端末装置において、採用意思有無情報を指定して求職者を検索する。検索処理は、求職者の情報を登録する操作を受け付けＳ６１１、登録された求職者の情報を、求人企業のユーザに提示しＳ６２１、求人企業のユーザが、当該求人企業のユーザに提示される各求職者の情報と関連付けて、採用意思を示す情報の設定を受け付けるＳ６３１、人材紹介会社のユーザから、求職者の検索条件として、求人企業のユーザにより設定される採用意思を示す情報を指定する入力操作を受け付けＳ６１２、受け付けた検索条件の採用意思を示す情報に従って抽出される求職者の情報を人材紹介会社のユーザに提示するＳ６２２、Ｓ６１３。【選択図】図６【図１】
0006807474.tif 000002
【図２】
0006807474.tif 000003
【図３】
0006807474.tif 000004
【図４】
0006807474.tif 000005
【図５】
0006807474.tif 000006
【図６】
0006807474.tif 000007
【図７】
0006807474.tif 000008